(57)【要約】      （修正有）【課題】携帯電子端末カバーにおいて、携帯電子端末のカメラ部と、前記カメラ部に相当する携帯電子端末カバー間に汚れが溜まることを防止する携帯電子端末カバーを提供する。【解決手段】情報電子端末本体の背面を被覆可能な底壁部２と、底壁部の周縁から立設されて情報電子端末本体の周側面に沿って係止することができる側壁部３と、底壁部のうち、情報電子端末の背面に設けられたカメラ部に対応する範囲に形成された開口部４と、開口部を閉塞して取り付けてなる透光性の素材からなるカメラ保護板５と、を備える。【選択図】図３
0003233873.tif 000002
【実用新案登録請求の範囲】
【請求項１】
情報電子端末本体の背面を被覆可能な底壁部と、
底壁部の周縁から立設されて前記情報電子端末本体の周側面に沿って係止することができる側壁部と、
前記底壁部のうち、前記情報電子端末本体の背面に設けられたカメラ部に対応する範囲に形成された開口部と、
前記開口部を閉塞して取り付けられてなる透光性の素材からなるカメラ保護板と、を備える
ことを特徴とする携帯電子端末カバー。
【請求項２】
前記カメラ保護板は、前記開口部に対して着脱可能に取り付けてなる
ことを特徴とする請求項１に記載の携帯電子端末カバー。
【請求項３】
前記開口部の内周面に沿って凹溝が形成され、
前記カメラ保護板は、当該カメラ保護板の外周縁部を前記凹溝にはめ込んで取り付けられてなる
ことを特徴とする請求項１または２に記載の携帯電子端末カバー。
【請求項４】
前記底壁部の背面、及び前記カメラ保護板の背面が装飾印刷領域である
ことを特徴とする請求項１から３のいずれか１つに記載の携帯電子端末カバー。
【考案の詳細な説明】
【技術分野】
【０００１】
本考案は、スマートフォン等の携帯電子端末カバーに関する。
【背景技術】
【０００２】
携帯電子端末カバーは、携帯電子端末の背面を覆うように取り付け可能に形成され、携帯電子端末を保護することができる。（先行文献１参照）。また、上記携帯電子端末カバーは、携帯端末に備えるカメラのレンズを露出するための開口部が形成されている。さらに、携帯電子端末カバーの背面に、キャラクターの画像などの印刷を施すことにより、携帯電子端末の装飾品としても用いられる。
【先行技術文献】
【特許文献】
【０００３】
【特許文献１】特開２０１８−１３７６１８号公報
【考案の概要】
【考案が解決しようとする課題】
【０００４】
しかし、従来技術のカバー構造では、携帯電子端末におけるカメラ部に対応して形成された開孔を通して、カメラ部に手指などが直接に接触するおそれがあった。そのため、カメラ部とカバーとの間に汚れが溜まってしまうという問題が生じていた。
【課題を解決するための手段】
【０００５】
そこで、上記課題を解決するための手段として本考案に係る携帯電子端末カバーは、情報電子端末本体の背面を被覆可能な底壁部と、底壁部の周縁から立設されて前記情報電子端末本体の周側面に沿って係止することができる側壁部と、前記底壁部のうち、前記情報電子端末の背面に設けられたカメラ部に対応する範囲に形成された開口部と、前記開口部を閉塞して取り付けてなる透光性の素材からなるカメラ保護板と、を備えることを特徴とする。透光性の素材は透明であってもよい。
【０００６】
また、前記カメラ保護板は、前記開口部に対して着脱可能に取り付けてなることが好ましい。このような構成により、携帯電子端末カバーの使用者の任意に応じて、カメラ保護板を着脱させることができる。
【０００７】
さらに、前記開口部の内周面に沿って凹溝が形成され、前記カメラ保護板の外周縁部を前記凹溝に着脱可能にはめ込んで取り付けることができることが好ましい。このような構成により、カメラ保護板を着脱させ、カメラ保護板を正確かつ確実に着脱させることができる。
【０００８】
さらにまた、前記底壁部の背面、及び前記カメラ保護板の背面が装飾印刷領域であることが好ましい。従来、装飾印刷を施すことができなかったカメラレンズ用の開口部に対応する領域にも印刷でき、これにより、携帯電子端末カバーの背面全体を利用して大きく装飾印刷を付することができる。
【考案の効果】
【０００９】
本考案によれば、情報電子端末の背面に設けられたカメラ部と、携帯電子端末カバーとの間に汚れが溜まってしまうといった問題を解消することができる。
【図面の簡単な説明】
【００１０】
【図１】本考案の第一の実施の形態を示す背面図である。
【図２】本考案の第一の実施の形態を示すＡ―Ａ線断面図である。
【図３】本考案の第一の実施の形態を示す斜視図である。
【図４】本考案の第二の実施の形態を示す背面図である。
【図５】本考案の第二の実施の形態を示すＡ−Ａ線断面図である。
【図６】本考案の第二の実施の形態を示す斜視図である。
【考案を実施するための形態】
【００１１】
以下、本考案に係る実施の形態を、図を参照しながら詳しく説明する。なお、本明細書及び図面において、実質的に同一の機能構成を有する構成要素については、同一の符号を付することにより重複説明を省略する。
【００１２】
図１〜３は、本考案の携帯電子端末カバー１の第一の実施の形態を示すものである。
この携帯電子端末カバー１は、情報電子端末Ｐ本体の背面を被覆可能な底壁部２と、底壁部２の周縁から立設されて情報電子端末Ｐ本体の周側面に沿って係止することができる側壁部３と、を有してなる。さらに、底壁部２のうち、情報電子端末Ｐの背面に設けられたカメラ部Cに対応する範囲に開口部４が形成されてなる。開口部４の内側には、開口部４を閉塞して透明の樹脂からなるカメラ保護板５が着脱可能に取り付けられてなる。
【００１３】
まず、携帯電子端末カバー１の使用方法としては、図２に示すように、開口部４の内周面に沿って環状に形成されてなる凹溝６に対して、カメラ保護板５の外周縁部を嵌合させることで、開口部４を閉塞させた状態で、携帯電子端末カバー１の背面を被覆して保護することができる。これにより、情報電子端末Ｐの背面に設けられたカメラ部Cと、携帯電子端末カバー１との間に汚れが溜まってしまう問題を解消することができる。
【００１４】
カメラ保護板５は、開口部４の内周面の凹溝６に対して、着脱可能にはめ込んで取り付けられている。これにより、携帯電子端末カバー１の使用者は、任意に、カメラ保護板５を着脱させることができる。ここで、開口部４に形成されてなる凹溝６は、携帯電子端末カバー１のＡ−Ａ線断面図である図２に示すように、背面側鍔部６a及び正面側鍔部６bからなる背面側鍔部６a及び正面側鍔部６bは、例えば弾性を有する樹脂材によって形成されることが好ましい。これにより、カメラ保護板５の外周縁部を背面側鍔部６aに背面側から押し当てれば、正面側鍔部を屈曲させながら凹溝６に挿し入れることができ、凹溝６に対して容易に嵌合させることができる。
【００１５】
さらに、背面側鍔部６aを正面側鍔部６bよりも開口部４の開口中心側に進出するように形成することによって、背面側から凹溝６に嵌め込んだカメラ保護板５が、携帯電子端末カバー１の使用中において、不意に開口部４の正面側から抜け落ちてしまうことを防止することができる。
【００１６】
なお、カメラ保護板５は透光性であることを含む透明の素材によって作られてなることにより、カメラ保護板５を携帯電子端末カバー１に装着したままでもカメラ部Cを用いて撮影を行うことができる。
【００１７】
図４〜６は、本考案の携帯電子端末カバー１の第二の実施の形態を示すものである。
この携帯電子端末カバー１は、第一の実施の形態と同様に、開口部４と、開口部４を閉塞して透明の樹脂からなるカメラ保護板５が着脱可能に取り付けられてなる。さらに、底壁部２及びカメラ保護板５の背面には、装飾印刷７が施されてなる。
【００１８】
装飾印刷７が施された底壁部２に設けられた、開口部４の内周面の凹溝６に対して、装飾印刷７が施されたカメラ保護板５の外周縁部を嵌合させる。これにより、従来装飾印刷を施すことができなかったカメラレンズ用の開口部に対応する領域にも印刷でき、携帯電子端末カバー１の背面全体を利用して大きく装飾印刷７を付することができる。
【符号の説明】
【００１９】
１    携帯電子端末カバー
２    底壁部
３    側壁部
４    開口部
５    カメラ保護板
６    凹溝
６a    背面側鍔部
６b    正面側鍔部
７    装飾印刷
Ｐ    情報電子端末
Ｃ    カメラ部
【図１】
0003233873.tif 000003
【図２】
0003233873.tif 000004
【図３】
0003233873.tif 000005
【図４】
0003233873.tif 000006
【図５】
0003233873.tif 000007
【図６】
0003233873.tif 000008